(57)【要約】      （修正有）【課題】スキッドキャップの寿命を、大幅に延長させるために花崗岩製二面式スキッドキャップを提供する。【解決手段】薄板連続酸洗槽に使用されるスキッドキャップ１において、上下二面を順次鋼板に接する面として使用するために上下対称な構造とし、両端にピン２を挿入する溝部を備えた花崗岩製二面式スキッドキャップ１と、固定する台座６であって、花崗岩製二面式スキッドキャップ１の両端の溝部に勘合するピン２を備え、且つ台座６から容易に取り外しができるように花崗岩製二面式スキッドキャップ１との接触部に二重のゴム層を持つ構造とした台座６。【選択図】図３
0003180836.tif 000002
【実用新案登録請求の範囲】
【請求項１】
上下二面を鋼板に接する面とし且つ両端に溝部を付けて、薄板鋼板連続酸洗槽に配設された台座に固定させる構造とした花崗岩製スキッドキャップ。
【請求項２】
使用期間を延長させるために考案された請求項目１の花崗岩製スキッドキャップが、酸洗設備の運転に必要な強度を持って台座に固定され、且つ鋼板に接する一方の表面が摩耗等により取り換える必要が生じた時は容易に他の面と取り換えることができるようにした構造の台座。
【考案の詳細な説明】
【技術分野】
【０００１】本考案は、薄板鋼板の連続酸洗槽に使用される花崗岩製スキッドキャップと、それを取付ける台座の構造に関するものである。
【背景技術】
【０００２】従来のスキッドキャップは、材質が耐酸磁器若しくは花崗岩であり、形状は逆Ｕ字型（図１参照）若しくはカセット型（図２参照）である。いずれも鋼板との接触面は頂部の一面であり、磨耗、亀裂などが発生した場合はスキッドキャップ一式を取り換える必要があった。【０００３】耐酸磁器製のスキッドキャップは、耐酸磁器が窯業生産技術上の制約から製品を一定以上の肉厚及び長さにすることが困難であるため、鋼板の進行方向の断面が逆Ｕ字型となるものが主に採用されてきた。（図１参照）しかし最近は、生産効率を上げるため酸洗条件が益々厳しくなり、鋼板速度のアップやかなり厚い鋼板まで通すようになってきた。このため従来の耐酸磁器製のスキッドキャップでは磨耗寿命、破損寿命が次第に短くなってきている上に、磨耗寿命に達する前に表面にキズ、ヒビ割れ等が発生し使用できなくなる例が多くなっている。また、耐酸磁器の硬度を上げて寿命を延ばそうとする試みもあったが、硬度を上げると鋼板の表面に傷が付きやすくなる欠点があった。
―特開平３−２３２９８６号  参照―【０００４】花崗岩製のスキッドキャップでは、磁器製の欠点を排除するため形状は肉厚を大きくしたカセット型として磨耗寿命を延長すること、スキッドキャップの両端部に突起をつけると共に、中央から両端部に至る勾配をつけ、鋼板の蛇行と疵発生を防止する構造とすること、更には花崗岩下部にクッション材をはり、耐衝撃性を持たせるなどの工夫がなされ、スキッドキャップの寿命を延ばすためには様々の努力がなされてきたが、酸洗条件は益々厳しくなってきている上に、操業効率のアップが不可欠とされ、更なる使用期間の延長が望まれている。
―実開平７−２１７６７号  参照―
【先行技術文献】
【特許文献】
【０００５】
【特許文献１】特公平７−３３５９４  連続酸洗槽のスキッドキャップ及び連続酸洗槽
【特許文献２】実開平５−９６０６６  酸洗槽のスキッドキャップ
【特許文献３】実開平７−２１７６７  酸洗槽のカセット式スキッドキャップ
【非特許文献】
【０００６】
【非特許文献１】
【考案の概要】
【考案が解決しようとする課題】
【０００７】本考案は、従来からの課題であるスキッドキャップの寿命を、更に大幅に延長させるために花崗岩製二面式スキッドキャップを提供するものである。
【課題を解決するための手段】
【０００８】上記の課題を解決するためになされた本考案は、花崗岩を素材とし上下二面を鋼板に接する面としたスキッドキャップを提供し、一面が摩耗した時にはスキッドキャップを取り外して上下を入れ替え、まだ使用していない他の一面を鋼板に接する面として再度使用することによって、スキッドキャップの寿命を大幅に延長させることを特徴とするものである。【０００９】本考案の花崗岩製二面式スキッドキャップは、上下二面が鋼板に接する面となって、その構造は上下対象となる。その為に最初はまだ使用していない面が台座に嵌合される。更にスキッドキャップは振動やずれを起こしてはならない。即ち、本考案のスキッドキャップを取付ける台座は、スキッドキャップのまだ使用していない面を保護する機能と、更に振動やずれを防止する機能を兼ね備えた構造であることを特徴とするものである。
【考案の効果】
【００１０】本考案の花崗岩製二面式スキッドキャップは、耐酸磁器製逆Ｕ字型スキッドキャップと比較すれば肉厚をより大きくとれること、また花崗岩製ソケット型スキッドキャップと比較すれば上下二面が鋼板に接する面として使用できることにより、その使用寿命は従来の約２倍となり、その実用的価値は極めて大きいものがある。
【図面の簡単な説明】
【００１１】
【図１】耐酸磁器製逆Ｕ字型スキッドキャップ
【図２】花崗岩製ソケット式スキッドキャップ
【図３】花崗岩製二面式スキッドキャップ
【図４】花崗岩製二面式スキッドキャップと台座の嵌合側面図
【実施例】
【００１２】以下に本考案のスキッドキャップを図示の実施例によって、さらに詳細に説明する。
図１は従来の耐酸磁器製逆Ｕ字型スキッドキャップであり、図２は花崗岩製ソケット式スキッドキャップである。
図３は本考案のスキッドキャップの全体図であり、本スキッドキャップは上下左右が対称の構造になっている。なお左右両端部には縦方向に角溝が切ってある。この左右両端部の角溝が、同じく台座に作られた角溝と接し、その中に耐酸磁器製のピンを通してスキッドキャップを固定する構造となっている。
図４はスキッドキャップが酸洗槽に配設された台座に嵌合している断面を表す。上下二面が鋼板に接する面となり、まだ使用されていない下面は表面がゴム等によって保護されていると同時に、振動やずれを生じないように防振ゴム等を使用して固定されている。【００１３】本考案のスキッドキャップは、上下二面を鋼板に接する面として使用するため、まだ使用しない面は保護をする必要がある。また、スキッドキャップの一面が磨耗し他の面と取り換える必要が生じたときには、本スキッドキャップを台座から取り外し上下を入れ替える作業が容易にできる構造となっていなければならない。更に、スキッドキャップは操業中にずれや振動を起こすような構造であってはならない。
このために、スキッドキャップ（１  本体）と台座（６  台座）はスキッドキャップの本体下部で固定されると同時に、両端の溝部にピン（２  ピン）を挿入することによっても固定される。
スキッドキャップと台座の間は、スキッドキャップの表面を保護するためのゴムシート（３  表面保護ゴムシート）、スキッドキャップの振動や衝撃を吸収するためのゴムシート（４  防震用ゴムシート）、表面保護ゴムシートと防震ゴムシートを接着するための接着剤、更にスキッドキャップを固定するための耐酸モルタル層（５  モルタル層）からなる。
スキッドキャップの左右両端部に接する台座は、３層の耐酸煉瓦からなり１層目はピン部、２層目はスキッドキャップに接する最上部、３層目は両者の基礎をなす部分に分かれる。【００１４】薄板連続酸洗槽に本考案のスキッドキャップ及び台座を取付け３年が経過したところで、スキッドキャップを台座からを取り外し、上下を入れ替え再使用を始めた。
従来、耐酸磁器製逆Ｕ字型スキッドキャップでは、２年を平均寿命とし半年から１年で磨耗、ヒビ割れの発生も少なくなかった。又花崗岩製ソケット型スキッドキャップについても従来製品は３年を平均寿命としていたが、本考案のスキッドキャップは５年から６年の使用年数が期待できその操業上の経済的効果は大なるものがある。
【符号の説明】
【００１５】部品番号
１  スキッドキャップ
２  ピン
３  表面保護ゴムシート
４  防振ゴムシート
５  耐酸モルタル層
６  台座
【図１】
0003180836.tif 000003
【図２】
0003180836.tif 000004
【図３】
0003180836.tif 000005
【図４】
0003180836.tif 000006
【手続補正書】
【提出日】平成24年7月11日(2012.7.11)
【手続補正１】
【補正対象書類名】実用新案登録請求の範囲
【補正対象項目名】全文
【補正方法】変更
【補正の内容】
【実用新案登録請求の範囲】
【請求項１】
薄板連続酸洗槽に使用されるスキッドキャップにおいて、上下二面を順次鋼板に接する面として使用するために上下対称な構造とした花崗岩製二面式スキッドキャップ。
【請求項２】
花崗岩製二面式スキッドキャップを台座に固定するために角ピンを備え、且つ台座から容易に取り外しができるように二重のゴム層を持つ構造とした台座。
【手続補正２】
【補正対象書類名】明細書
【補正対象項目名】全文
【補正方法】変更
【補正の内容】
【考案の詳細な説明】
【技術分野】
【０００１】本考案は、薄板鋼板の連続酸洗槽に使用される花崗岩製二面式スキッドキャップと、それを取付ける台座の構造に関するものである。
【背景技術】
【０００２】従来のスキッドキャップは、材質が耐酸磁器若しくは花崗岩であり、形状は逆Ｕ字型（図１  参照）若しくはソケット型（図２  参照）であった。いずれも鋼板との接触面は頂部の一面であり、磨耗、亀裂などが発生した場合はスキッドキャップ一式を取り換える必要があった。【０００３】耐酸磁器製のスキッドキャップは、耐酸磁器が窯業生産技術上の制約から製品を一定以上の肉厚にすることが困難であるため、鋼板の進行方向の断面が逆Ｕ字型となるものが主に採用されてきた。（図１参照）しかし最近は、生産効率を上げるため酸洗条件が益々厳しくなり、鋼板速度のアップやかなり厚い鋼板まで通すようになってきた。このため従来の耐酸磁器製のスキッドキャップでは磨耗寿命、破損寿命が次第に短くなってきている上に、磨耗寿命に達する前に表面にキズ、ヒビ割れ等が発生し使用できなくなる例が多くなっている。また、耐酸磁器の硬度を上げて寿命を延ばそうとする試みもあったが、硬度を上げると鋼板の表面に傷が付きやすくなる欠点があった。−特開平３−２３２９８６号  参照−【０００４】花崗岩製のスキッドキャップでは、耐酸磁器製の欠点を排除するため形状は肉厚を大きくしたカセット型（図２参照）として磨耗寿命を延長すること、スキッドキャップの中央から両端部に至る勾配をつけ、鋼板の蛇行と疵発生を防止する構造とすること、更には花崗岩下部にクッション材をはり、耐衝撃性を持たせるなどの工夫がなされてきた。このようにスキッドキャップの寿命を延ばすためには様々の努力がなされてきたが、酸洗条件は益々厳しくなってきている上に、更なる操業効率のアップが要請され、使用期間の延長が望まれている。−実開平７−２１７６７号  参照−
【先行技術文献】
【特許文献】
【０００５】
【特許文献１】特公平７−３３５９４  連続酸洗槽のスキッドキャップ及び連続酸洗槽
【特許文献２】実開平５−９６０６６  酸洗槽のスキッドキャップ
【特許文献３】実開平７−２１７６７  酸洗槽のカセット式スキッドキャップ
【考案の概要】
【考案が解決しようとする課題】
【０００６】本考案は、従来からの課題であるスキッドキャップの寿命を、更に大幅に延長させるために花崗岩製二面式スキッドキャップを提供するものである
【課題を解決するための手段】
【０００７】上記の課題を解決するためになされた本考案は、花崗岩を素材とし上下二面を鋼板に接する面としたスキッドキャップ（図３、図４）を提供するものであり、スキッドキャップの一面が摩耗した時にはスキッドキャップを取り外して上下を入れ替え、まだ使用していない他の一面を鋼板に接する面として再度使用することによって、一個のスキッドキャップの寿命を大幅に延長させることを特徴とするものである。【０００８】本考案の花崗岩製二面式スキッドキャップは、上下二面が鋼板に接する面となって、その構造は上下対称となる。従って、まずスキッドキャップ一面を使用し、まだ使用しない面は確りと台座に嵌合させる。即ち、本考案のスキッドキャップを取付ける台座は、スキッドキャップのまだ使用していない面を保護する機能と、更にスキッドキャップの振動やずれを防止する機能を兼ね備えた構造であることを特徴とするものである。
【考案の効果】
【０００９】本考案の花崗岩製二面式スキッドキャップは、耐酸磁器製逆Ｕ字型スキッドキャップと比較すれば肉厚をより大きくとれること、また花崗岩製ソケット型スキッドキャップと比較すれば上下二面が鋼板に接する面として使用できることにより、その使用寿命は従来の約２倍となり、その実用的価値は極めて大きいものがある。
【図面の簡単な説明】
【００１０】
【図１】耐酸磁器製逆Ｕ字型スキッドキャップ
【図２】花崗岩製ソケット式スキッドキャップ
【図３】花崗岩製二面式スキッドキャップ  部品番号  １スキッドキャップ  ２ピン  ６台座
【図４】花崗岩製二面式スキッドキャップと台座の嵌合図  部品番号  １スキッドキャップ  ２ピン  ３表面保護ゴムシート  ４防振ゴムシート  ５耐酸モルタル層  ６台座
【考案を実施するための形態】
【００１１】以下に本考案のスキッドキャップを図示した実施例によって、さらに詳細に説明する。
図１は従来の耐酸磁器製逆Ｕ字型スキッドキャップであり、図２は花崗岩製ソケット式スキッドキャップである。
図３は本考案のスキッドキャップの全体図であり、本スキッドキャップは上下左右が対称の構造になっている。なお左右両端部には縦方向に角溝が切ってある。一方、台座には耐酸磁器製の角ピンが縦方向に固定されており、スキッドキャップの両端の角溝にこのピンを挿入しスキッドキャップを台座に固定する構造となっている。
図４はスキッドキャップが台座に嵌合している断面を示す。台座に立てられたピンが、スキッドキャップの側面の溝に入っている。
スキッドキャップ下部と台座の間は、スキッドキャップの表面を保護するためのゴムシート（図４の３  表面保護ゴムシート）、スキッドキャップの振動や衝撃を吸収するためのゴムシート（図４の４  防震用ゴムシート）、表面保護ゴムシートと防震ゴムシートを接着するための接着剤、更にゴムシートを台座に固定するためのモルタル層（図４の５  モルタル層）からなる。
なお、スキッドキャップと台座の間に２枚のゴムシートを使用したことによって、スキッドキャップの上下を入れ替える時に、スキッドキャップを台座から容易にしかも安全に取り外しすることができる。
【実施例】
【００１２】本考案のスキッドキャップは、上下二面を鋼板に接する面として使用するため、まだ使用しない面はゴム層で保護されている。スキッドキャップの一面が磨耗し他の面と取り換える必要が生じたときは、スキッドキャップを台座から取り外し上下を入れ替える。
スキッドキャップの取り外し作業は、ゴム層に楔を打ち込んでモルタル層との縁を切った後、クレーンにてスキッドキャップを台座から容易に取り外すことできる。
スキッドキャップを台座から取りはずした後は、未使用面に残るゴム層の剥がしと表面の清拭、疵の有無の検査、磨き等々、未使用面の手入れを行う。
同時に台座が使用できる状態にあるか検査する。台座の両端に立てた角ピンの状態、スキッドキャップを入れ込む台座の窪み部分に残ったゴムや耐酸モルタルの除去、台座を組み立てた耐酸磁器煉瓦の修復等々台座が使用できる状態を作り上げる。
スキッドキャップ及び台座が使用できる状態にあることを確認した後、スキッドキャップを台座に嵌め込む。【００１３】薄板連続酸洗槽に本考案のスキッドキャップ及び台座を取付け３年が経過したところで、スキッドキャップを台座からを取り外し、上下を入れ替え再使用を始めた。
従来、耐酸磁器製逆Ｕ字型スキッドキャップでは、２年を平均寿命とし半年から１年で磨耗、ヒビ割れの発生も少なくなかった。又花崗岩製ソケット型スキッドキャップについても従来製品は３年を平均寿命としていたが、本考案のスキッドキャップは５年から６年の使用年数が期待できその操業上の経済的効果は大なるものがある。
【産業上の利用可能性】
【００１４】以上詳述したように、本考案の花崗岩製二面式スキッドキャップは、天然石である花崗岩の特性を生かして、大型のスキッドキャップを作製し実用に供したものである。これによって一個のスキッドキャップの寿命をほぼ２倍にすることに成功した。
【符号の説明】
【００１５】部品番号
１  スキッドキャップ
２  ピン
３  表面保護ゴムシート
４  防振ゴムシート
５  耐酸モルタル層
６  台座
【手続補正書】
【提出日】平成24年10月23日(2012.10.23)
【手続補正１】
【補正対象書類名】実用新案登録請求の範囲
【補正対象項目名】全文
【補正方法】変更
【補正の内容】
【実用新案登録請求の範囲】
【請求項１】
薄板連続酸洗槽に使用されるスキッドキャップにおいて、上下二面を順次鋼板に接する面として使用するために上下対称な構造とし、両端にピンを挿入する溝部を備えた花崗岩製二面式スキッドキャップ。
【請求項２】
請求項１に記載の花崗岩製二面式スキッドキャップを固定する台座であって、花崗岩製二面式スキッドキャップの両端の溝部に勘合するピンを備え、且つ台座から容易に取り外しができるように花崗岩製二面式スキッドキャップとの接触部に二重のゴム層を持つ構造とした台座。